(57)【特許請求の範囲】
【請求項１】
外周面に、互いに平行となるリブを備え、上端円形開口より下端円形開口が大きい略円錐台形筒状の斜壁筒よりなるマンホール用ライニングシートであって、
前記斜壁筒は、
平面視で前記上端円形開口と下端円形開口とが、その開口中心を略一致するように垂直配置されて同芯状の斜壁筒とされ、
所定幅長の複数のシート材を、幅方向両縁の前記リブが隣り合うよう配置し、該リブ同士にジョイント部材を介して互いに連結して、内周面を連続面とし、且つ、各リブが前記上端円形開口の周縁から下端円形開口の周縁に延在するように形成するとともに、
前記リブ同士が隣り合わない部分は、その接続端縁を、該端縁から一定距離で前記リブを除去し、該接続端縁同士が接合されて互いを連結して、
前記各リブ間の両端が開放形成されていることを特徴とするマンホール用ライニングシート。
【請求項２】
外周面に、互いに平行となるリブを備え、上端円形開口より下端円形開口が大きい略円錐台形筒状の斜壁筒よりなるマンホール用ライニングシートであって、
前記斜壁筒は、
平面視で前記上端円形開口と下端円形開口とが、その開口中心を偏芯させ筒壁面の一部が略垂直部を形成するように垂直配置された偏芯状の斜壁筒とされ、
所定幅長の複数のシート材を、前記略垂直部の位置を基準に、幅方向両縁の前記リブが隣り合うよう配置し、該リブ同士にジョイント部材を介して互いに連結して、内周面を連続面とし、且つ、各リブが前記上端円形開口の周縁から下端円形開口の周縁に延在するように形成するとともに、
前記リブ同士が隣り合わない部分は、その接続端縁を、該端縁から一定距離で前記リブを除去し、該接続端縁同士が接合されて互いを連結して、
前記各リブ間の両端が開放形成されていることを特徴とするマンホール用ライニングシート。
【請求項３】
既設管の内壁面と前記斜壁筒の外周面との間に間隙を形成するスペーサ材が、前記リブに係合されたことを特徴とする請求項１又は２記載のマンホール用ライニングシート。
【請求項４】
請求項３に記載のマンホール用ライニングシートを用いたマンホールライニング構造であって、
前記斜壁筒のリブに係合されるスペーサ材を既設管の内壁面に当接して形成した間隙に充填材を充填することで前記既設管の内側に前記斜壁筒を固着したことを特徴とするマンホールライニング構造。
【請求項５】
請求項３に記載のマンホール用ライニングシートを用いたマンホールのライニング施工方法であって、
前記斜壁筒の外周面に突出する所定の前記リブにスペーサ材を係着し、
該スペーサ材と共に前記斜壁筒を折り畳んで既設管の内側に搬入し、
該折り畳んだ前記斜壁筒を拡げて元の斜壁筒形状に復元し、
該復元した前記斜壁筒の内側を内型枠で支持し、
前記スペーサ材を既設管の内壁面に当接して形成した間隙に充填材を充填することで前記既設管の内側に前記斜壁筒を固着することを特徴とするマンホールのライニング施工方法。
【発明の詳細な説明】
【技術分野】
【０００１】
本発明は、上下水道・通信・電力コンクリート人孔に用いて好適なマンホール用ライニングシート及びマンホールライニング構造並びにマンホールのライニング施工方法に関し、さらに詳しくは、高強度なライニング施工を充填材の良好な充填性を確保しながら実現する改良技術に関する。
【背景技術】
【０００２】
下水道などの構築物の一部であるマンホールは、経時劣化（下水によるものや、 交通による外圧など）で腐食、亀裂、損傷などを起こす。また、これを修復するために、道路閉鎖などを行って掘り起こし、交換する作業は、多大な時間・労力を要し、施工困難であった。
【０００３】
例えば、セラミックス・エポキシ・ＦＲＰ等の塗布更生や、分割した樹脂厚板プレートを組み立て、隙間にモルタルを注入する更生、管更生工法による方法等がある。ところが、塗布工法は、老朽化した人孔に塗布する方法であり接着力を得るために、止水及び表面乾燥が必要であり、表面乾燥できなければ接着力は低下する。また、分割厚板樹脂パネルを組み立て、隙間にモルタルを注入し更生する工法は、既設人孔の内径が縮小され、また厚板樹脂パネルとモルタルの付着力に限界がある。さらに管更生工法は、設備等が大掛かりなものとなりコストが高くなった。
【０００４】
これに対し、例えば特許文献１に開示される下水道における既設人孔の補修方法は、ライニング材を上下に分割して製作するとともに、上下ライニング材分割体の高さの合計が数種の既設人孔の内部高さを越えるようにし、老朽化が進んだ補修すべき既設人孔の高さの実測値に応じて、両ライニング材分割体のいずれかの縁部を切断除去したのち、接続して、合体ライニング材をつくり、既設人孔の内壁を補修することで、既設人孔に応じた様々のサイズを有する合成樹脂製ライニング材を用意する必要がなく、これを製造するための成形型も少なくてすみ、製造設備費及びライニング材自体のコスト低減を図っている。
【０００５】
また、特許文献２に開示されるマンホールの補修構造は、端部内周面に繊維マットを半溶着させたポリエチレン、ポリプロピレンその他の熱可塑性合成樹脂製の筒体を、マンホールの内壁面に沿って積上げ、上下に隣接する半溶着繊維マットに接合用繊維マットを内側から重ね、硬化性樹脂を接合用繊維マット及び半溶着繊維マットに含浸させて硬化させたマンホールの補修構造とし、筒体とマンホールの内壁面との間にグラウト材を注入することで、筒体が接着性に劣るポリエチレン等からなるものであっても、強固に接合して補修を可能にすることを図っている。
【特許文献１】特開平７−１２７０８４号公報
【特許文献２】特開２００６−９７３６８号公報
【発明の開示】
【発明が解決しようとする課題】
【０００６】
しかしながら、合体ライニング材や熱可塑性合成樹脂製の筒体を、マンホール（既設管）の内壁面に沿って設け、合体ライニング材や筒体とマンホールの内壁面との間にグラウト材（充填材）を注入する場合、充填材と筒体等との強固な接合が必要となる。これに対し、繊維マット等をライニングシートに溶着させれば、シート厚が増大し、薄厚のライニング構造の実現が困難となる。また、充填材に埋入される複数の平行な直線状リブをライニングシートの表面に突設することも考えられるが、既設管が斜壁である場合、単一の展開シートで斜壁筒を形成すると、上方からの充填材の流下方向に対してリブが略直交方向で交差してしまう配置構造となり、充填材の充填効率を著しく低下させ、ライニング強度を低下させる虞があった。
【０００７】
本発明は上記状況に鑑みてなされたもので、一枚の展開シートの全ての表面に平行な同一方向のリブを設けた場合に発生する、上端円形開口からの充填材流下方向に対してリブが略直交方向で交差してしまう配置構造が防止できるマンホール用ライニングシート及びマンホールライニング構造並びにマンホールのライニング施工方法を提供し、もって、リブを充填材に埋入する高強度なライニング施工を、充填材の良好な充填性を確保しながら実現することを目的とする。
【課題を解決するための手段】
【０００８】
次に、上記の課題を解決するための手段を、実施の形態に対応する図面を参照して説明する。
本発明の請求項１記載のマンホール用ライニングシートは、外周面に、互いに平行となるリブ１１９（６１）を備え、上端円形開口１２３より下端円形開口１２５が大きい略円錐台形筒状の斜壁筒１１０よりなるマンホール用ライニングシートであって、
前記斜壁筒１１０は、
平面視で前記上端円形開口１２３と下端円形開口１２５とが、その開口中心を略一致するように垂直配置されて同芯状の斜壁筒１１０とされ、
所定幅長の複数のシート材１５ａ〜１５ｄ，１７ａ〜１７ｄを、幅方向両縁の前記リブ６１が隣り合うよう配置し、該リブ６１同士にジョイント材１２１を介して互いに連結して、内周面を連続面とし、且つ、各リブ１１９（６１）が前記上端円形開口１２３の周縁から下端円形開口１２５の周縁に延在するように形成するとともに、
前記リブ６１同士が隣り合わない部分は、その接続端縁を、該端縁から一定距離ｄで前記リブ１１９，６１を除去し、該接続端縁同士が接合されて互いを連結して、
前記各リブ１１９，６１間の両端が開放形成されていることを特徴とする。
【０００９】
なお、上記の構成において、前記シート材同士のジョイント材１２１による接続部分は、斜壁筒１１０として少なくとも２カ所とされ、また、端縁から一定距離ｄを除去し、これら端縁同士を接合する部分としては、少なくとも２カ所で構成され、各位置の周方向での間隔は、ジョイント材１２１による接続部分を対向位置とし、これらの接続部分の間に接合部分を位置させ、それぞれおよそ９０度毎の略等間隔が好ましい。
【００１０】
このマンホール用ライニングシートでは、仮に一枚の展開シートの全ての表面に平行な同一方向のリブ１１９を設けた場合に発生する、上端円形開口１２３からの充填材流下方向に対してリブ１１９が略直交方向で交差してしまう配置構造が防止される。これにより、全てのリブ１１９同士間隙が、上端円形開口１２３、及び他辺部リブ１１９を一定距離ｄ除去して形成した充填路３１を介し、下り勾配で配設可能となる。また、このマンホール用ライニングシートでは、所定幅長の複数のシート材１５ａ〜１５ｄ，１７ａ〜１７ｄで構成されており、それぞれをそれぞれの両端縁でジョイント材１２１にて接続する構造であり、この接続部分にて容易に組み立てることができる。
【００１１】
本発明の請求項２記載のマンホール用ライニングシートは、外周面に、互いに平行となるリブ１９を備え、上端円形開口２３より下端円形開口２５が大きい略円錐台形筒状の斜壁筒１０よりなるマンホール用ライニングシートであって、
前記斜壁筒１０は、
平面視で前記上端円形開口２３と下端円形開口２５とが、その開口中心を偏芯させ筒壁面の一部が略垂直部２６を形成するように垂直配置された偏芯状の斜壁筒１０とされ、
所定幅長の複数のシート材１５ａ〜１５ｄ，１７ａ〜１７ｄを、前記略垂直部２６の位置を基準に、幅方向両縁の前記リブ６１が隣り合うよう配置し、該リブ６１同士にジョイント材２１を介して互いに連結して、内周面を連続面とし、且つ、各リブ１９が前記上端円形開口２３の周縁から下端円形開口２５の周縁に延在するように形成するとともに、
前記リブ６１同士が隣り合わない部分は、その接続端縁を、該端縁から一定距離ｄで前記リブ１９を除去し、該接続端縁同士が接合されて互いを連結して、
前記各リブ１９間の両端が開放形成されていることを特徴とする。
【００１２】
なお、上記の構成において、、前記シート材１５ａ〜１５ｄ，１７ａ〜１７ｄ同士のジョイント材２１による接続部分は、斜壁筒１０として少なくとも１カ所とされ、好ましくは前記略垂直部２６の位置とされており、また、端縁から一定距離ｄを除去し、これら端縁同士を接合する部分としては、少なくとも１カ所で構成され、好ましくは、前記略垂直部２６のジョイント材２１の位置から１８０度となる真向かい位置近傍とする。
【００１３】
このマンホール用ライニングシートでは、仮に一枚の展開シートの全ての表面に平行な同一方向のリブ１９を設けた場合に発生する、上端円形開口２３からの充填材流下方向に対してリブ１９が略直交方向で交差してしまう配置構造が防止される。これにより、全てのリブ１９同士間隙が、上端円形開口２３、及び他辺部リブ１９を一定距離ｄ除去して形成した充填路３１を介し、下り勾配で配設可能となる。また、このマンホール用ライニングシートでは、大面積の素材シート（原反）を使用せずに、小面積の素材シートであるシート材１５ａ〜１５ｄ，１７ａ〜１７ｄを複数連結して製作でき、大規模な原反製造設備が不要になる。
【００１４】
請求項３記載のマンホール用ライニングシートは、既設管の内壁面と前記斜壁筒１０（１１０）の外周面との間に間隙を形成するスペーサ材５７（５７Ａ）が、前記リブ１９（１１９）に係合されたことを特徴とする。
【００１５】
このマンホール用ライニングシートでは、施工時にセパレータを設けずに、充填材５９の充填間隙が容易な作業で且つ高精度に設定される。また、セパレータを使用しないので、シート自体に穿孔がなく、そのシート面に対する閉塞構造、閉塞作業工程が不要となる。
【００１６】
請求項４記載のマンホールライニング構造は、請求項３に記載のマンホール用ライニングシート１００（２００）を用いたマンホールライニング構造であって、
前記斜壁筒１０（１１０）のリブ１９（１１９）に係合されるスペーサ材５７を既設管の内壁面に当接して形成した間隙に充填材５９を充填することで前記既設管の内側に前記斜壁筒１０（１１０）を固着したことを特徴とする。
【００１７】
このマンホールライニング構造では、全てのリブ１９（１１９）同士間隙が、上端円形開口２３（１２３）、及びリブ１９（１１９）を除去して形成した充填路３１（１３１）を介し急な下り勾配で配設され、充填材５９の良好な充填が可能となり、各リブ１９が充填材５９に埋入されて高強度なライニング構造が構築される。
【００１８】
請求項５記載のマンホールのライニング施工方法は、請求項３に記載のマンホール用ライニングシートを用いたマンホールのライニング施工方法であって、
前記斜壁筒１０（１１０）の外周面に突出する所定の前記リブ１９（１１９）にスペーサ材５７を係着し、
該スペーサ材５７と共に前記斜壁筒１０（１１０）を折り畳んで既設管の内側に搬入し、
該折り畳んだ前記斜壁筒１０（１１０）を拡げて元の斜壁筒形状に復元し、
該復元した前記斜壁筒１０（１１０）の内側を内型枠で支持し、
前記スペーサ材５７を既設管の内壁面に当接して形成した間隙に充填材５９を充填することで前記既設管の内側に前記斜壁筒１０を固着することを特徴とする。
【００１９】
このマンホールのライニング施工方法では、斜壁筒１０（１１０）を工場やマンホールの外部で完成させることができ、マンホール内の現場作業で斜壁筒１０（１１０）を製作する手間が省け、時間、労力が削減される。
【発明の効果】
【００２０】
本発明に係る請求項１記載のマンホール用ライニングシートによれば、略円錐台形筒状に形成されて、上端円形開口と下端円形開口とが、その開口中心を略一致するように垂直配置される斜壁筒を形成し、所定幅長の複数のシート材を、幅方向両縁のリブ同士にジョイント材を介して互いに連結することで、内周面を連続面とし、且つ、各リブが前記上端円形開口の周縁から下端円形開口の周縁に延在するように形成され、リブ同士が隣り合わない部分は、その接続端縁を、端縁から一定距離でリブを除去し、接続端縁同士が接合されて互いを連結する構成としているので、仮に一枚の展開シートの全ての表面に平行な同一方向のリブを設けた場合に発生する、上端円形開口からの充填材流下方向に対してリブが略直交方向で交差してしまう配置構造が防止できる。これにより、全てのリブ同士の間隙が、上端円形開口、及びリブ端部を一定距離除去して形成した充填路を介し、下り勾配で配設可能となる。この結果、各リブを充填材に全て埋入する高強度なライニング施工を、充填材の良好な充填性を確保しながら実現することができる。また、このマンホール用ライニングシートでは、複数のシート材で構成されており、それぞれをそれぞれの両端縁でジョイント材にて接続する構造であり、この接続部分にて容易に組み立てることができる。また、このマンホール用ライニングシートによれば、複数のシート材からなり、これらシート材の端縁部同士が、係合リブ同士にてジョイント材を係合して連結されたので、大面積の素材シート（原反）を使用せずに、小面積の素材シートを複数連結して製作でき、大規模な原反製造設備が不要になることから製品コストを低減することができる。
【００２１】
本発明に係る請求項２記載のマンホール用ライニングシートによれば、上端円形開口と下端円形開口とが偏芯した斜壁筒を形成し、所定幅長の複数のシート材を、略垂直部の位置を基準に、幅方向両縁のリブが隣り合うよう配置してジョイント材を介して互いに連結し、内周面を連続面とするとともに、各リブが上端円形開口の周縁から下端円形開口の周縁に延在するように形成し、リブ同士が隣り合わない部分は、その接続端縁から一定距離でリブを除去し、接続端縁同士が接合されて互いを連結する構成としているので、仮に一枚の展開シートの全ての表面に平行な同一方向のリブを設けた場合に発生する、上端円形開口からの充填材流下方向に対してリブが略直交方向で交差してしまう配置構造を防止でき、全てのリブ同士間隙を、上端円形開口、及びリブ端部を一定距離除去して形成した充填路を介し、下り勾配で配設することができる。この結果、各リブを充填材に全て埋入する高強度なライニング施工を、充填材の良好な充填性を確保しながら実現することができる。
【００２２】
請求項３記載のマンホール用ライニングシートによれば、既設管の内壁面と斜壁筒の外周面との間に間隙を形成するスペーサ材が、リブに係合されたので、セパレータを設けずに、充填材の充填間隙を容易な作業で且つ高精度に設定できる。また、セパレータを使用しないので、シート本体に穿孔がなく、その閉塞構造、閉塞工程を不要にして施工時間，施工コスト及び部材コストを低減することができる。
【００２３】
請求項４記載のマンホールライニング構造によれば、請求項３記載のマンホール用ライニングシートを用いたマンホールライニング構造であって、斜壁筒のリブに係合されるスペーサ材を既設管の内壁面に当接して形成した間隙に充填材を充填することで既設管の内側に斜壁筒を固着したので、全てのリブ同士の間隙を、上端円形開口、及びリブを除去して形成した充填路を介し急な下り勾配で配設し、充填材の良好な充填が実現することから、薄厚且つ高強度なライニング構造を構築することができる。
【００２４】
請求項５記載のマンホールのライニング施工方法によれば、請求項３記載のマンホール用ライニングシートを用いたマンホールのライニング施工方法であって、斜壁筒のリブにスペーサ材を係着し、スペーサと共に斜壁筒を折り畳んで既設管の内側に搬入し、元の形状に復元した斜壁筒の内側を内型枠で支持し、スペーサ材を既設管の内壁面に当接して形成した間隙に充填材を充填することで既設管の内側に斜壁筒を固着するので、斜壁筒を工場やマンホール外部で完成させることができ、マンホール内の現場作業で斜壁筒を製作する手間が省け、時間、労力を削減してライニング施工を効率良く且つ安価に行うことができる。
【発明を実施するための最良の形態】
【００２５】
以下、本発明に係るマンホール用ライニングシート及びマンホールライニング構造並びにマンホールのライニング施工方法の好適な実施の形態を図面を参照して詳細に説明する。
図１は本発明に係るマンホール用ライニングシートの斜視図、図２は本発明に係るマンホールライニング構造を有したマンホールの断面図、図３は図２に示した上端円形開口近傍の横断面図、図４は図１に示したマンホール用ライニングシートの展開図、図５はジョイント部の斜視図、図６は他辺部の接合前の斜視図、図７は他辺部の接合後の斜視図である。
マンホール用ライニングシート１００は、上端円形開口２３より下端円形開口２５が大きい略円錐台形筒状に形成される。平面視では、上端円形開口２３が下端円形開口２５の内側一点で接するように偏芯し、この一点の位置で垂直部２６となる斜壁筒１０を形成する。内側一点となる垂直部２６とは、図１に示す一辺部２７を平面視したときの点と一致する。
【００２６】
マンホール用ライニングシート１００は、この一点で一辺部２７同士が接続されるとともに、この一辺部２７とは反対な位置となる端縁部分である他辺部２９同士が斜壁面で接続され、この他辺部２９を中央線とする境に線対称となる少なくとも二枚の展開シート１１，１３からなる。斜壁筒１０の外周面となる展開シート１１，１３の表面となる一方の面には、図４に示すように、一辺部２７と平行に延在する複数のリブ１９が所定間隔で突設されている。
【００２７】
リブ１９は、図５に示すように、脚壁１９ａの上端から左右に張出部１９ｂ，１９ｂを張り出した略逆Ｔ字状の断面形状に形成される。このリブ１９の他辺部２９側の端部は、図６に示すように、他辺部２９の端縁から一定距離ｄで除去されている。リブ１９の他辺部２９が一定距離ｄで除去された展開シート１１，１３の他辺部２９同士は、接続端縁を構成し、互いに接合、例えば溶接、溶着、接着などの方法で接合され、図７に示すように、溶着部６５となる。本実施の形態では、端縁を突き合わせた状態でＶ字状溝が形成されるよう切削加工等を施し、溶接棒を用いてこれら端縁同士を溶接している。これにより、展開シート１１，１３の他辺部２９には、リブ１９の無い空間となって他辺部２９に沿う溝状の充填路３１が形成される。
【００２８】
上記展開シート１１，１３のそれぞれは、所定幅長の複数のシート材である分割シートを連結して構成される。本実施の形態において、展開シート１１は、分割シート１５ａ，１５ｂ，１５ｃ，１５ｄを連結してなる。また、展開シート１３は、分割シート１７ａ，１７ｂ，１７ｃ，１７ｄを連結してなる。分割シート１５ａ，１５ｂ，１５ｃ，１５ｄ、及び分割シート１７ａ，１７ｂ，１７ｃ，１７ｄの幅方向両縁の端辺部同士は、図５に示す端辺部３３に形成されたリブ１９と平行な先端鉤状の係合リブ６１，６１同士に、断面略コ字状のジョイント材２１を係合して連結される。
【００２９】
このように、展開シート１１，１３が、押出成形などで容易に得ることのできる所定幅長の複数の分割シート１５ａ，１５ｂ，１５ｃ，１５ｄ、分割シート１７ａ，１７ｂ，１７ｃ，１７ｄからなり、この分割シートの端辺部３３同士が、ジョイント材２１を係合して連結されたので、大面積の素材シート（原反）を使用せずに、小面積のシート材を所望の数で複数連結して製作でき、大規模な原反製造設備が不要になることから製品コストを低減することができる。また、連結数の増減で、所望の幅長の展開シート１１，１３を構成でき、内径の異なる既設管への対応が可能となる。すなわち、斜壁筒１０を構成する際のリブ１９の延在状態が、上端円形開口２３から下端円形開口２５にかけて、リブ１９同士の間に間隙を形成しない箇所が、溶接などの接合箇所となり、この接合箇所以外においては、リブ同士が隣り合い、ジョイント材２１で連結できることとなる。
【００３０】
このようにマンホール用ライニングシート１００から作られた斜壁筒１０は、図２に示す既設管に使用される。既設管は、例えば、ふた３５を備えた受枠３７と、この受枠３７の下方にモルタル４１で接続される調整リング４３と。調整リング４３の下方に接続される斜壁管３９と、直壁４５と、管取付け壁４７と、下水管４９と、底板５１と、基礎５３とからなる。なお、図中、５５は垂直壁部分に固定された梯子を表す。本実施の形態によるマンホール用ライニングシート１００は、上記した斜壁管３９の内壁面に間隙を有して設けられる。
【００３１】
図８はスペーサ材の拡大図である。
既設管（斜壁管３９）の内壁面と斜壁筒１０の外周面との間には、間隙を形成するためのスペーサ材５７がリブ１９に係合して取り付けられる。スペーサ材５７は、ゴム、合成樹脂材等の弾性材料からなり、図８（ａ）に示すように、断面円形状のチューブ状に形成され、断面略半円状の中空部６７と、リブ１９との嵌着溝６９を有する。また、図８（ｂ）に示すように、スペーサ材５７Ａは、中空部７１を有する断面Ω状に形成し、隣接するリブ１９，１９同士の間隙に挿入することで、脚部７３，７３をリブ１９の張出部１９ｂ，１９ｂに係止して嵌着する構成としてもよい。
【００３２】
このように、既設管の内壁面と斜壁筒１０の外周面との間に間隙を形成するためのスペーサ材５７を、リブ１９に係合したので、セパレータを設けずに、図３に示す充填材５９の充填間隙を容易な作業で且つ高精度に設定できる。また、セパレータを使用しないので、穿孔がなく、その閉塞構造、閉塞工程を不要にして施工コスト及び部材コストを低減することができる。
【００３３】
このマンホール用ライニングシートでは、仮に一枚の展開シートの全ての表面に平行な同一方向のリブ１９を設けた場合に発生する、上端円形開口２３からの充填材流下方向に対してリブ１９が略直交方向で交差してしまう配置構造が防止される。これにより、図１に示すように、全てのリブ１９同士の間隙が、上端円形開口２３、及び他辺部２９のリブ１９を一定距離ｄ除去して形成した充填路３１を介し、急な下り勾配で配設可能となる。
【００３４】
次に、上記マンホール用ライニングシートを用いたマンホールのライニング施工方法を説明する。
図９はライニング補修前のマンホールの断面図、図１０は折り畳んだ状態のマンホール用ライニングシートの斜視図である。
上記マンホール用ライニングシート１００を用いてマンホールのライニング施工を行うには、先ず、斜壁筒１０の外周面に突出する所定のリブ１９、好ましくは一定間隔となるように、スペーサ材５７を係着する。
【００３５】
次いで、このスペーサ材５７と共に斜壁筒１０を、図１０に示すように、Ｕ字状に折り畳んで、外形状を受枠３７の内径よりも小さい外径となるように変形させ、図９に示す斜壁管３９の内側に搬入する。
【００３６】
次いで、折り畳んだ斜壁筒１０を拡げて元の斜壁筒形状に復元し、復元した斜壁筒１０の内側を不図示の内型枠で支持する。次いで、各スペーサ材５７を斜壁管３９の内壁面に当接して形成した間隙に、充填材５９を充填することで斜壁管３９の内側に斜壁筒１０を固着する。この際、斜壁筒１０の外周斜壁面では、充填路３１から流れ落ちる充填材５９が、左右のリブ１９に沿って振り分けられて流れ、未充填部分の生じない確実な充填が行われることとなる。
【００３７】
このマンホールのライニング施工方法によって施工されるマンホールライニング構造は、斜壁筒１０のリブ１９に係合されたスペーサ材５７を既設管の内壁面に当接して形成した間隙に充填材５９を充填することで、既設管の内側に斜壁筒１０を固着したので、全てのリブ１９同士間隙を、上端円形開口２３、及びリブ１９を除去して形成した充填路３１を介し急な下り勾配で配設し、充填材５９の良好な充填が実現することから、薄厚且つ高強度なライニング構造を構築することができる。
【００３８】
また、上記したマンホール用ライニングシートによれば、上端円形開口２３と下端円形開口２５とが偏芯した斜壁筒１０を形成し、他辺部２９同士が斜壁面で接続され他辺部２９を境に線対称となる少なくとも二枚の展開シート１１，１３からなり、展開シート１１，１３の表面となる一方の面には一辺部２７と平行に延在する複数のリブ１９が所定間隔で突設され且つリブ１９の他辺部２９側の端部が他辺部２９の端縁から一定距離ｄで除去されたので、仮に一枚の展開シート１１，１３の全ての表面に平行な同一方向のリブ１９を設けた場合に発生する、上端円形開口２３からの充填材流下方向に対してリブ１９が略直交方向で交差してしまう配置構造を防止でき、全てのリブ１９同士間隙を、上端円形開口２３、及び充填路３１を介し、急な下り勾配で配設することができる。この結果、リブ１９を充填材５９に埋入する高強度なライニング施工を、充填材５９の良好な充填性を確保しながら実現することができる。また、薄型リブシートにより既設人孔内径の縮径を最小限に抑えることができる。
【００３９】
また、マンホールのライニング施工方法によれば、斜壁筒１０のリブ１９にスペーサ材５７を係着し、スペーサ材５７と共に斜壁筒１０を折り畳んで既設管である斜壁管３９の内側に搬入し、元の形状に復元した斜壁筒１０の内側を内型枠で支持し、スペーサ材５７を斜壁管３９の内壁面に当接して形成した間隙に充填材５９を充填することで斜壁管３９の内側に斜壁筒１０を固着するので、斜壁筒１０を工場やマンホールの外部で完成させることができ、マンホール内の現場作業で斜壁筒１０を製作する手間が省け、時間、労力を削減してライニング施工を効率良く且つ安価に行うことができる。
【００４０】
なお、上述した実施の形態では、斜壁筒として、垂直部２６を有した構成の例について述べたが、図１１に示すように、末広がり形状となるように、平面視で上端円形開口１２３と下端円形開口１２５とが、その開口中心を略一致するように垂直配置となり、周面の傾斜角が周方向で略一定な円錐台形筒状に形成される斜壁筒１１０として構成してもよい。
この場合、斜壁筒１１０は、図１３の展開分解図に示すように、２つのシート体１１４Ａ，１１４Ｂで構成し、これらを長手方向でそれぞれ連結して略環状とし、すなわち２等分に分割構成とするとともに、それぞれのシート体１１４Ａ，１１４Ｂは、周方向両端縁となる一辺部同士がジョイント材１２１で連結される構成となる。
【００４１】
シート体１１４Ａ，１１４Ｂは、上述した展開シート１１，１３と同様で、中央となる他辺部同士１２９Ａ，１２９Ａ，１２９Ｂ，１２９Ｂを溶接接合して構成されており、溶着部１６５Ａ，１６５Ｂとされ、また、この溶着部１６５Ａ，１６５Ｂの箇所が、一定距離をリブ１１９が除去され、他片部１２９Ａ，１２９Ｂに沿う溝状の充填路１３１が形成される。
【００４２】
この斜壁筒１１０においても、上述した実施の形態の斜壁筒１０と同様に、各展開シート１１１Ａ，１１１Ｂ，１１３Ａ，１１３Ｂは、分割シート１５ａ，１５ｂ，１５ｃ，１７ａ，１７ｂ，１７ｃが連結してなり、断面コ字状のジョイント材１２１にて連結構成される。
【００４３】
そして、図１２に示すように、各シート体１１４Ａ，１１４Ｂの各一辺部１２７Ａ，１２７Ｂをジョイント材１２１で連結するとともに、他端に位置する各一辺部１２７Ａ，１２７Ｂをジョイント材１２１で連結することで、図１１に示すように略環状となり、すなわち、上端円形開口１２３より下端円形開口１２５が大きい略円錐台形筒状に形成され、且つ平面視で上端円形開口１２３と下端円形開口１２５とが、その開口中心を略一致するように垂直配置される斜壁筒１１０を形成するマンホール用ライニングシート２００となる。また、斜壁筒１１０の外周面となる展開シート１１１Ａ，１１１Ｂ，１１３Ａ，１１３Ｂの一方の面には一辺部１２７Ａ，１２７Ｂと平行に延在する複数のリブ１１９が所定間隔で突設され、且つ溶着部１６５Ａ，１６５Ｂの２カ所に充填路１３１が形成される。
【００４４】
このマンホール用ライニングシート２００では、仮に一枚の展開シートの全ての表面に平行な同一方向のリブ１１９を設けた場合に発生する、上端円形開口１２３からの充填材流下方向に対してリブ１１９が略直交方向で交差してしまう配置構造が防止される。これにより、全てのリブ１１９同士間隙が、上端円形開口１２３、及び他辺部リブ１１９を一定距離ｄ除去して形成した充填路１３１を介し、下り勾配で配設可能となる。
【図面の簡単な説明】
【００４５】
【図１】本発明に係るマンホール用ライニングシートの斜視図である。
【図２】本発明に係るマンホールライニング構造を有したマンホールの断面図である。
【図３】図２に示した上端円形開口近傍の横断面図である。
【図４】図１に示したマンホール用ライニングシートの展開図である。
【図５】ジョイント部の斜視図である。
【図６】他辺部の接合前の斜視図である。
【図７】他辺部の接合後の斜視図である。
【図８】スペーサ材の拡大図である。
【図９】ライニング補修前のマンホールの断面図である。
【図１０】折り畳んだ状態のマンホール用ライニングシートの斜視図である。
【図１１】他の実施の形態のマンホール用ライニングシートの斜視図である。
【図１２】図１１に示したマンホール用ライニングシートの展開図である。
【図１３】図１１に示したマンホール用ライニングシートの展開分解図である。
【符号の説明】
【００４６】
１０，１１０…斜壁筒
１５ａ，１５ｂ，１５ｃ，１５ｄ，１７ａ，１７ｂ，１７ｃ，１７ｄ…シート材（分割シート）
１９，１１９…リブ
２１，１２１…ジョイント材
２３，１２３…上端円形開口
２５，１２５…下端円形開口
２６…垂直部
３９…既設管（斜壁管）
５７…スペーサ材
５９…充填材
６１…係合リブ
１００，２００…マンホール用ライニングシート
ｄ…他辺部から一定距離
【図１】
0004956364.tif 000002
【図２】
0004956364.tif 000003
【図３】
0004956364.tif 000004
【図４】
0004956364.tif 000005
【図５】
0004956364.tif 000006
【図６】
0004956364.tif 000007
【図７】
0004956364.tif 000008
【図８】
0004956364.tif 000009
【図９】
0004956364.tif 000010
【図１０】
0004956364.tif 000011
【図１１】
0004956364.tif 000012
【図１２】
0004956364.tif 000013
【図１３】
0004956364.tif 000014